(57)【要約】【課題】面状型照明器具において、集中光と拡散光を同時に照射し、かつ、意匠性を損なうことを防ぐ。【解決手段】面状型照明器具１は、面状発光部２と、面状発光部２が開口面に取り付けられる筐体３と、面状発光部２と筐体３とで挟まれる空間４に配設され、面状発光部２側に集中光７を照射するスポットライト５と、を備える。面状発光部２は、電圧印加により発光する透光性を有する発光層を有する。照明器具１は、特定の照射したい場所を照らす集中光７をスポットライト５から照射でき、かつ、集中光７が照射される箇所以外は輝度の均一性が確保された拡散光６を面状発光部２から照射できるので、集中光７と拡散光６を同時に照射できる。また、スポットライト５が面状発光部２の裏側に収納されて目立たないので、意匠性を損なわない。【選択図】図２
2010123477.tif 000002
【特許請求の範囲】
【請求項１】
面状発光部と、前記面状発光部が取り付けられる筐体と、を備える面状型照明器具において、
前記面状発光部は、電圧印加により発光する透光性を有する発光層を有し、かつ、前記筐体の開口面に取り付けられ、
前記面状発光部と筐体とで挟まれる空間に配設され、前記面状発光部側に光を照射するスポットライトを有することを特徴とする面状型照明器具。
【請求項２】
前記スポットライトは、光源及び該光源からの光照射方向を任意に可変とする駆動機構を有することを特徴とする請求項１に記載の面状型照明器具。
【発明の詳細な説明】
【技術分野】
【０００１】
本発明は、透光性を有する面状発光部と筐体とで挟まれる空間にスポットライトを有する面状型照明器具に関する。
【背景技術】
【０００２】
従来から、面状型照明器具として、有機ＥＬを用いた照明器具や、蛍光灯などのバックライトと導光板を組み合わせた照明器具、発光ダイオード（ＬＥＤ）と拡散板を組み合わせた照明器具などが一般的に使われている。これら面状型照明器具は、例えば、美術館や飲食店などにおいて、床面を拡散光で照らすと同時に壁面に飾られた絵画を集中光で照らしたい場合に、発光面の輝度の均一性が高い拡散光を照射できるが、集中光を照射できなかった。
【０００３】
そこで、発光面を有する箱体と、この箱体の外部に設けられる光源と、を備える面状型照明器具が知られている（例えば、特許文献１参照）。この面状型照明器具は、箱体の内部空間に細長い棒状の光ファイバ及び漏光手段が設けられ、光ファイバの端部が箱体の側面壁を挿通して箱体外部に露出している。箱体外部に設けられた光源は、箱体外部に露出した光ファイバの一端に向けて光を照射することで、光ファイバ内に光を供給する。漏光手段が光ファイバ内の光を箱体内で露光させ、この露光した光が発光面側に向けて照射されることで、面状型照明器具の発光面は発光する。光源は光ファイバに光を供給できれば特に限定されず、例えば、キセノンランプや、ハロゲンランプ等の高輝度ランプが使用できる。
【０００４】
この高輝度ランプと反射板を組み合わせてスポットライトを形成し、スポットライトの光照射方向を任意に設定できる構成にすれば、面状型照明器具は、スポットライトによって集中光を照射でき、かつ、スポットライトによって光が供給される光ファイバによって拡散光を照射できる。しかし、この面状型照明器具は、照らしたい場所と光ファイバの一端の２箇所をスポットライトで同時に照らすことができないので、集中光と拡散光を同時に照射することができない。
【０００５】
また、それぞれ別体の面状型照明器具とスポットライトを組み合わせて使うことが考えられる。この組み合わせは、拡散光と集中光を同時に照射できるが、面状型照明器具とスポットライトをそれぞれ別々に設けるので意匠性が悪くなる。
【特許文献１】特開平１１−１４２６５２号公報
【発明の開示】
【発明が解決しようとする課題】
【０００６】
本発明は、上記問題を解決するためになされたものであり、集中光と拡散光を同時に照射でき、かつ、意匠性を損なわない面状型照明器具を提供することを目的とする。
【課題を解決するための手段】
【０００７】
上記目的を達成するために請求項１の発明は、面状発光部と、前記面状発光部が取り付けられる筐体と、を備える面状型照明器具において、前記面状発光部は、電圧印加により発光する透光性を有する発光層を有し、かつ、前記筐体の開口面に取り付けられ、前記面状発光部と筐体とで挟まれる空間に配設され、前記面状発光部側に光を照射するスポットライトを有するものである。
【０００８】
請求項２の発明は、請求項１に記載の面状型照明器具において、前記スポットライトは、光源及び該光源からの光照射方向を任意に可変とする駆動機構を有するものである。
【発明の効果】
【０００９】
請求項1の発明によれば、特定の照射したい場所を照らす集中光をスポットライトから照射でき、かつ、集中光が照射される箇所以外は輝度の均一性が確保された拡散光を面状発光部から照射できるので、集中光と拡散光を同時に照射できる。また、スポットライトが面状発光部の裏側に収納されて目立たないので、意匠性を損なわないようにすることができる。
【００１０】
請求項２の発明によれば、面状発光部を筐体から取り外すことなく、駆動機構によってスポットライトの光照射方向を容易に変化させることができる。
【発明を実施するための最良の形態】
【００１１】
本発明の一実施形態に係る面状型照明器具（以下、照明器具という）について図１乃至図４を参照して説明する。図１（ａ）（ｂ）及び図２は、本実施形態の照明器具１の構成を示す。照明器具１は、面状発光部２と、面状発光部２が開口面３１に取り付けられる筐体３と、面状発光部２と筐体３とで挟まれた空間４に配設されるスポットライト５と、を備える。照明器具１に配設されるスポットライト５は、１個でもよいし、複数個でもよい。照明器具１は、スポットライト５が面状発光部２の裏側に収納されて目立たないので意匠性を損なわない。そして、面状発光部２は直接光６ａと反射光６ｂから成る拡散光６を照射し、かつ、スポットライト５は集中光７を面状発光部２側に照射する。
【００１２】
筐体３は、箱型の形状であって上面に開口面３１が形成されている。筐体３の内面は、面状発光部２から照射され筐体３側に入射する反射光６ｂを効率よく反射させるために、反射率が高いことが望ましい。筐体３の内面の反射率を高めるために、筐体３は、その材料として反射率の高い金属やプラスチックなどを用いるか、又はその内面に高反射シートを貼り付ける。
【００１３】
図３は、本実施形態の面状発光部２の構成を示す。面状発光部２は、透光性を有し、例えば、一般的な透明有機ＥＬが用いられ、基板２１上に透明電極である陽極２２、正孔輸送層２３、電圧印加により発光する透光性を有する発光層２４、電子輸送層２５、透明電極である陰極２６が順次積層されて形成される。
【００１４】
電圧印加によって、陽極２２は、正孔輸送層２３を経由して発光層２４に正孔を注入し、陰極２６は、電子輸送層２５を経由して発光層２４に電子を注入する。発光層２４に注入された正孔と電子は、発光層２４において結合し、面状発光部２の両面を発光させる。
【００１５】
図４は、本実施形態のスポットライト５の構成を示す。スポットライト５は、ランプハウス８と、ランプハウス８を回動自在に軸支し、略水平方向に設けられる第１の回動軸９と、第１の回動軸９を支持する支持アーム１０と、支持アーム１０を回動自在に軸支し、略垂直方向に設けられる第２の回動軸１１と、第２の回動軸１１を保持する箱型の台座部１２と、を備える。また、スポットライト５は、ランプハウス８の内部に設けられる略椀型をした反射鏡１３と、反射鏡１３の略中央部に設けられる光源１４と、光源１４からの光照射方向を任意に可変とする駆動機構１５と、を有し、光源１４から出射された光を反射鏡１３によって集光させた集中光７を照射する。
【００１６】
ランプハウス８は、アルミニウム、アルミニウム合金、ポリカーボネイト、ポリフェニレンサルファイド樹脂（ＰＰＳ）等から形成され、集中光７を照射する面が開口した略円筒状である。光源１４としては、ハロゲンランプやメタルハライドランプ等の高輝度ランプが用いられる。
【００１７】
駆動機構１５は、モータ１６ａ、１６ｂと、モータ１６ａ、１６ｂの回転により生じる動力を第１の回動軸９及び第２の回動軸１１へそれぞれ伝達するためのベルト１７ａ、１７ｂと、モータ１６ａ、１６ｂを制御するための制御部１８と、操作部（図示せず）とから構成される。操作部は、ユーザが面状発光部２を筐体３から取り外すことなくスポットライト５の光照射方向を操作できるように、照明器具１の外面側に設けられる。
【００１８】
モータ１６ａが回転するとベルト１７ａが回動し、さらにベルト１７ａの回動に合わせて第１の回動軸９が矢印Ａ方向に回動することで、ランプハウス８は、垂直面を回動面として回動する。モータ１６ｂが回転するとベルト１７ｂが回動し、さらにベルト１７ｂの回動に合わせて第２の回動軸１１が矢印Ｂ方向に回動することで、支持アーム１０に支持されるランプハウス８は、水平面を回動面として回動する。
【００１９】
制御部１８は、例えば、マイクロコンピュータや、半導体メモリ、及びこれらのハードウエア上で動作するソフトウエア等を用いて構成され、操作部からの入力信号に基いてモータ１６ａ、１６ｂを駆動させる。ユーザによる操作部の操作に基いてモータ１６ａ、１６ｂが駆動してランプハウス８の向きを任意に変えることができるので、スポットライト５は、面状発光部２を筐体３から取り外すことなく、駆動機構１５によってスポットライト５の光照射方向を容易に変化させることができる。なお、スポットライト５は、操作部に代えて、ユーザが操作するリモコン端末から送信されるリモコン信号を受信するリモコン通信部を有する構成であってもよい。
【００２０】
スポットライト５は、指向性の高い集中光７が照射できればよく、上記の高輝度ランプと反射鏡の組み合わせ以外にも、発光ダイオード（ＬＥＤ）と集光レンズの組み合わせでもよい。また、スポットライト５は、駆動機構１５を有さず、面状発光部２を取り外して手動で動かして、光照射方向を任意に可変することができる簡易な機構であってもよい。
【００２１】
上記のように構成された照明器具１からの光の照射を説明する。図２に示されるように、両面発光する面状発光部２は、その表面から直接光６ａが出射され、その裏面から反射光６ｂが出射される。直接光６ａは、面状発光部２からそのまま照明器具１の外部へと照射される。反射光６ｂは、筐体３側へ照射され、筐体３の内面で反射した後に面状発光部２の表面から照明器具１の外部へと照射される。スポットライト５は、空間４から面状発光部２側に向けて集中光７を照射する。従って、照明器具１は、指向性があって特定の照射したい場所を照らすことができる集中光７、及び集中光７が照射される箇所以外の輝度の均一性が確保された拡散光６を同時に照射できる。
【００２２】
なお、本発明は、上記の実施形態の構成に限られず、発明の要旨を変更しない範囲で種々の変形が可能である。例えば、円盤状の筐体と、筐体に取り付けられたスポットライトと、半球状の面状発光部とから構成されるシーリング型の照明器具とし、天井に設置して集中光と拡散光を同時に照射しても構わない。
【図面の簡単な説明】
【００２３】
【図１】（ａ）は本発明の一実施形態に係る面状型照明器具の一部を破断した外観図、（ｂ）は同照明器具の側断面図。
【図２】同照明器具における面状発光部及びスポットライトから光が照射されている状態を示す側断面図。
【図３】同照明器具における面状発光部の断面図。
【図４】同照明器具におけるスポットライトの構成図。
【符号の説明】
【００２４】
１  面状型照明器具（照明器具）
２  面状発光部
２４  発光層
３  筐体
３１  開口面
４  空間
５  スポットライト
７  集中光（光）
１４  光源
１５  駆動機構
【図１】
2010123477.tif 000003
【図２】
2010123477.tif 000004
【図３】
2010123477.tif 000005
【図４】
2010123477.tif 000006